【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
画素電極が形成された第１透明基板と、該第１透明基板に対向配置された第２透明基板と、該第２透明基板と前記第１透明基板との間に配置された電気光学物質とを有する電気光学装置において、
前記第１透明基板および前記第２透明基板のうちの少なくとも一方の透明基板の外面には、該少なくとも一方の透明基板と略等しい屈折率を有する接着剤によって該少なくとも一方の透明基板と略等しい屈折率を有する第３透明基板が面接着されていることを特徴とする電気光学装置。
【請求項２】
画素電極が形成された第１透明基板と、該第１透明基板に対向配置された第２透明基板と、該第２透明基板と前記第１透明基板との間に配置された電気光学物質とを有する電気光学装置において、
前記第１透明基板および前記第２透明基板のうちの少なくとも一方の透明基板の外面には、該少なくとも一方の透明基板と略等しい屈折率を有する第３透明基板が配置され、
前記第３透明基板と、前記第１透明基板及び前記第２透明基板の少なくとも一方の基板とは接着することなく、ケースに収容することを特徴とする請求項１に電気光学装置。
【請求項３】
表示領域に画素電極が形成された第１透明基板と、
該第１透明基板に対向配置された第２透明基板と、
該第２透明基板と前記第１透明基板との間に配置された電気光学物質と、
前記第１及び第２透明基板の少なくとも一方の透明基板の外面側に設けられた第３透明基板とを具備し、
該第３透明基板の前記表示領域の周辺には第１遮光膜が備えられていることを特徴とする電気光学装置。
【請求項４】
前記第１遮光膜は、前記表示領域の周辺から前記第３透明基板の縁に至る前記表示領域を囲む領域に設けられていることを特徴とする請求項３に記載の電気光学装置。
【請求項５】
前記第１及び第２透明基板の一方の前記表示領域の周辺には第２遮光膜を更に備えており、
該第２遮光膜は、前記１及び第２透明基板間に設けられたシール材の形成領域に重ならないように、且つ前記シール材の形成領域よりも内側に設けられていることを特徴とする請求項３又は請求項４に記載の電気光学装置。
【請求項６】
前記第１遮光膜の少なくとも外面側、又は、内面側の一方は、ＯＤ（Ｏｐｔｉｃａｌ  Ｄｅｎｓｉｔｙ）値２以上の光反射膜から構成されていることを特徴とする請求項３から請求項５のいずれか一項に記載の電気光学装置。
【請求項７】
前記第２遮光膜の少なくとも外面側は、ＯＤ値２以上の光吸収膜から構成されていることを特徴とする請求項６に記載の電気光学装置。
【請求項８】
前記第１遮光膜に対応する開口部を持ち、且つ前記第１及び第２透明基板並びに前記第３透明基板を収容する遮光性のケースを更に備えたことを特徴とする請求項３から請求項７のいずれか一項に記載の電気光学装置。
【請求項９】
前記第２遮光膜は、前記遮光性のケースの端部よりも内側に形成され、前記遮光性のケースの端部は前記第２遮光膜の縁まで延設していることを特徴とする請求項８に記載の電気光学装置。
【請求項１０】
前記第２遮光膜は、前記第１遮光膜よりも内側に形成され、前記第１遮光膜は、前記遮光性のケースよりも内側に形成されることを特徴とする請求項８または９に記載の電気光学装置。
【請求項１１】
請求項１から１０のいずれか一項に記載の電気光学装置において、前記第１透明基板、前記第２透明基板および前記第３透明基板のうちの少なくとも一つの透明基板の外面には、偏光機能を有する膜が積層されていることを特徴とする電気光学装置。
【請求項１２】
請求項１から１０のいずれか一項に記載の電気光学装置において、前記第１透明基板、前記第２透明基板および前記第３透明基板のうちの少なくとも一つの透明基板の外面には、反射防止機能を有する膜が積層されていることを特徴とする電気光学装置。
【請求項１３】
請求項１から１２のいずれか一項に記載の電気光学装置において、前記第３透明基板は４００ｎｍ以下の紫外線を吸収あるいは反射することを特徴とする電気光学装置。
【請求項１４】
請求項１１から１３のいずれか一項に記載の電気光学装置において、前記反射防止機能を有する膜は４００ｎｍ以下の紫外線を吸収あるいは反射することを特徴とする電気光学装置。
【請求項１５】
前記第３透明基板と前記第３透明基板に対向配置された前記第１及び第２透明基板の一方の基板との間には、空隙が設けられていることを特徴とする請求項１から請求項１４のいずれか一項に記載の電気光学装置。
【請求項１６】
表示領域に画素電極が形成された第１透明基板と、
該第１透明基板に対向配置された第２透明基板と、
該第２透明基板と前記第１透明基板との間に配置された電気光学物質と、
前記第１及び第２透明基板の少なくとも一方の透明基板の外面側に設けられた第３透明基板とを具備し、
前記第２透明基板上には前記画素電極の個々に対応してマトリクス状に配置された複数のマイクロレンズを有することを特徴とする電気光学装置。
【請求項１７】
表示領域に画素電極が形成された第１基板と、
前記第１基板に対向配置された第２基板と、
前記第１及び第２基板間に配置された電気光学物質と、
前記第１及び第２基板の少なくとも一方の基板の外面側に配置された第３基板と、該第３基板上の前記表示領域の周辺領域に配置された第１遮光膜と、前記第１及び第２基板の内面側の表示領域の周辺領域に配置された第２遮光膜とを具備する電気光学装置であって、
前記第１遮光膜の前記有効表示領域側の端部は、前記第２遮光膜の前記表示領域側の端部よりも周辺側であって前記第１遮光膜と前記第２遮光膜とは平面的にみて少なくとも一部で重なるように配置されてなることを特徴とする電気光学装置。
【請求項１８】
表示領域に画素電極が形成された第１基板と、
前記第１基板に対向配置された第２基板と、
前記第１及び第２基板間に配置された電気光学物質と、
前記第１及び第２基板の少なくとも一方の基板の外面側に配置された第３基板と、該第３基板上の前記表示領域の周辺領域に配置された第１遮光膜と、前記第１及び第２基板の内面側の表示領域の周辺領域に配置された第２遮光膜と、前記表示領域に対応した開口部を持ち前記第１及び第２基板並びに前記第３基板を収容する遮光性のケースを具備する電気光学装置であって、
前記第１遮光膜の前記表示領域側の端部は、前記第２遮光膜の前記表示領域側の端部よりも周辺側であって前記第１遮光膜と前記第２遮光膜とは平面的にみて少なくとも一部で重なるように配置されてなり、
前記遮光性のケースの前記表示領域側の端部は、前記第１遮光膜の前記表示領域側の端部よりも周辺側であって前記遮光性のケースと前記第１遮光膜とは平面的にみて少なくとも一部で重なるように配置されてなることを特徴とする電気光学装置。
【請求項１９】
請求項１６から請求項１８のいずれか一項に記載の電気光学装置において、前記第２基板と前記第２基板の外面側に配置された前記第３基板とが接着剤により面接触されてなり、前記第３基板上の前記第２基板に対向する面には前記第１遮光膜が配置され、前記第１遮光膜により区画された領域の内側に前記接着剤が配置されてなることを特徴とする電気光学装置。
【請求項２０】
請求項１６から請求項１９のいずれか一項に記載の電気光学装置において、前記第２基板上に第３基板が配置されてなり、前記第１基板はシリコン基板からなり、前記第２基板及び第３基板は透明ガラス基板からなり、前記第１基板上の内面側には反射電極が配置されてなることを特徴とする電気光学装置。
【請求項２１】
光源と、該光源から出射された光を集光しながら、請求項１から請求項１９のいずれか一項に記載の電気光学装置に導く集光光学系と、当該電気光学装置により変調された光を投写面に拡大投射する投射光学系とを有することを特徴とする投射型表示装置。
【請求項２２】
光源の光を複数の色光に分光する色分離手段と、該色分離手段により分離された各色を変調する請求項１から請求項１９のいずれか一項に記載の電気光学装置と、該複数の電気光学装置により変調された光を合成する合成手段と、該合成手段で合成された光を投射する投射光学手段とを備え、各電気光学装置に対応する偏光板は前記合成手段に貼り付けられていることを特徴とする投射型表示装置。
【請求項２３】
請求項１から請求項１９のいずれか一項に記載の電気光学装置の製造方法であって、前記第３基板に部分的な途切れ部分を備える第１遮光膜を形成した後、前記第２基板と第３基板とを対向配置し、前記途切れ部分から前記接着剤を注入し、しかる後に当該接着剤を硬化させることを特徴とする電気光学装置の製造方法。